【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
人間の状態パラメータをモニターする装置であって、
不活時における個人の第１及び第２のパラメータのうちの少なくとも一方を示すデータを継続的に発生する少なくとも２つのセンサーと電子通信関係にあるセンサー装置と、
センサー装置と電子通信関係にあるＩ／Ｏ装置とより成り、Ｉ／Ｏ装置はセンサー装置から第１のパラメータを示すデータ及び第２のパラメータを示すデータを受け、第１のパラメータ及び第２のパラメータのうちの少なくとも一方は生理学的パラメータであり、Ｉ／Ｏ装置はプロセッサと電子通信関係にあり、プロセッサは少なくとも第１のパラメータを示すデータと第２のパラメータを示すデータとを用いて導出データを発生し、導出データは個人の第３のパラメータより成り、第３のパラメータは少なくとも２つのセンサーうちの任意の一つにより直接検知できない個人の状態パラメータであり、Ｉ／Ｏ装置はさらに第３のパラメータに基づく情報を表示する人間の状態パラメータのモニター装置。
【請求項２】
Ｉ／Ｏ装置がさらに個人がその個人に関する情報をＩ／Ｏ装置に入力できるようにする手段を含む請求項１の装置。
【請求項３】
個人の第３のパラメータは、物理的活動、睡眠活動、栄養活動、精神集中活動、ストレスレベル、代謝率及び酸素摂取率より成る群から選択される請求項１の装置。
【請求項４】
少なくとも２つのセンサーのうちの少なくとも一方は、呼吸センサー、温度センサー、熱束センサー、身体のコンダクタンスセンサー、身体の抵抗センサー、身体の電位センサー、脳活動センサー、血圧センサー、身体のインピーダンスセンサー、身体の運動センサー、身体の容積センサー、酸素摂取センサー、身体の化学センサー、身体の姿勢センサー、身体の圧力センサー、光吸収センサー、身体の音センサー、電気化学的センサー、光学的センサーより成る群から選択される生理学的センサーである請求項１の装置。
【請求項５】
第３のパラメータは個人の生理学的パラメータである請求項１の装置。
【請求項６】
第３のパラメータは個人のカロリー消費に関するデータより成る請求項５の装置。
【請求項７】
Ｉ／Ｏ装置は個人が摂取するカロリーに関する情報を入力できるようにする手段を有し、プロセッサは摂取カロリーに関する情報を用いてカロリー摂取量データを発生し、表示手段はカロリー消費量データ及びカロリー摂取量データに基づき情報を表示する請求項６の装置。
【請求項８】
個人が摂取するカロリーに関する情報は個人が摂取する食物に関する情報より成る請求項７の装置。
【請求項９】
Ｉ／Ｏ装置はさらに、食物及び関連のカロリー値より成る食物データのデータベースを有し、そのデータベースは個人が摂取する食物に関する情報を用いてカロリー摂取量データを発生するために使用される請求項８の装置。
【請求項１０】
表示手段はエネルギーバランスデータを表示する請求項７の装置。
【請求項１１】
表示手段は個人の体重減少または増加率を表示する請求項７の装置。
【請求項１２】
表示手段は個人の１またはそれ以上の目標に関する情報を表示し、これらの目標はカロリー摂取量、カロリー消費量、エネルギーバランス及び体重減少または増加率の１またはそれ以上に関する請求項７の装置。
【請求項１３】
第３のパラメータは個人のカロリー摂取量に関するデータより成る請求項５の装置。
【請求項１４】
個人により入力される情報は導出データの発生にも用いられる請求項２の装置。
【請求項１５】
第３のパラメータは個人のカロリー摂取量に関するデータより成る請求項１４の装置。
【請求項１６】
第３のパラメータは個人のカロリー消費量に関するデータより成る請求項１４の装置。
【請求項１７】
２つのセンサーのうちの少なくとも一方は身体の運動を示すデータを発生する身体の運動センサーと、電流に対する個人の皮膚抵抗を示すデータを発生する皮膚コンダクタンスセンサーと、熱流を示すデータを発生する熱束センサーと、個人の心拍を示すデータを発生する身体の電位センサーと、個人の皮膚温度を示すデータを発生する温度センサーとより成る群から選択され、少なくとも第１のパラメータ及び第２のパラメータを示すデータは身体の運動を示すデータ、電流に対する個人の皮膚抵抗を示すデータ、熱流を示すデータ、心拍を示すデータ及び個人の皮膚温度を示すデータのうちの少なくとも２つより成る請求項１の装置。
【請求項１８】
センサーのうちの少なくとも一方はコンテキストセンサーである請求項１の装置。
【請求項１９】
プロセッサはＩ／Ｏ装置内にある請求項１の装置。
【請求項２０】
プロセッサはコンピュータ装置であり、コンピュータ装置はＩ／Ｏ装置と電子通信関係にある請求項１の装置。
【請求項２１】
さらに、装置と電子通信関係にあるコンピュータ装置を有し、前記装置は少なくとも１つの第１のパラメータを示すデータ及び第２のパラメータを示すデータのうちの少なくとも一方と、導出データとをコンピュータ装置に送る請求項１の装置。
【請求項２２】
プロセッサは、個人の１またはそれ以上の目標を達成するための１またはそれ以上の提案を表示装置が表示するように構成されている請求項１の装置。
【請求項２３】
個人のカロリー摂取量及びカロリー消費量を追跡する装置であって、
非休止状態を含む複数の活動時に個人の身体に着用され、プロセッサと電子通信関係にあり、少なくとも１つが生理学的センサーである少なくとも２つのセンサーと、
プロセッサと電子通信関係にあるＩ／Ｏ装置とより成り、
センサーは複数の非休止時における個人の第１及び第２のパラメータのうちの少なくとも一方を示すデータを発生し、プロセッサは第１及び第２のパラメータを示すデータを用いて個人のカロリー消費量に関するデータを発生するようにプログラムされており、カロリー消費量データは活性エネルギー消費量データを含み、
Ｉ／Ｏ装置はプロセッサからカロリー消費量データを受け、個人が摂取するカロリーに関する情報を入力できるようにする手段を有し、カロリー摂取に関する情報を用いてカロリー摂取量データを発生させ、Ｉ／Ｏ装置はカロリー消費量データ及びカロリー摂取量データに基づき情報を表示する手段を有する、カロリー摂取量及びカロリー消費量を追跡する装置。
【請求項２４】
個人が摂取するカロリーに関する情報は個人が摂取する食物に関する情報より成る請求項２３の装置。
【請求項２５】
Ｉ／Ｏ装置は食物及びそれに関連するカロリー値より成る食物データのデータベースへのアクセス手段を有し、データベースは個人が摂取する食物に関する情報を用いてカロリー摂取量データを発生するために使用される請求項２４の装置。
【請求項２６】
Ｉ／Ｏ装置はさらにデータベースを有する請求項２５の装置。
【請求項２７】
表示手段により表示される情報はエネルギーバランスデータを含む請求項２３の装置。
【請求項２８】
表示手段により表示される情報は個人の体重減少または増加率を含む請求項２３の装置。
【請求項２９】
表示手段により表示される情報は個人の１またはそれ以上の目標に関する情報を含み、これらの目標はカロリー摂取量、カロリー消費量、エネルギーバランス及び体重減少または増加率のうちの１またはそれ以上に関する請求項２３の装置。
【請求項３０】
少なくとも１つのセンサーはセンサー装置内に収容されている請求項２３の装置。
【請求項３１】
少なくとも２つのセンサーのうち少なくとも１つはＩ／Ｏ装置の一部である請求項２３の装置。
【請求項３２】
Ｉ／Ｏ装置は体重計である請求項１の装置。
【請求項３３】
さらに体重計を有し、体重計は体重を示すデータを発生し、プロセッサは体重を示すデータを用いてカロリー消費量データ及びカロリー摂取量データのうちの少なくとも一方を発生する請求項１の装置。
【請求項３４】
少なくとも２つのセンサーのうちの少なくとも２つは生理学的センサーであり、第２のパラメータは生理学的パラメータである請求項２３の装置。
【請求項３５】
少なくとも２つのセンサーは身体の運動を示すデータを発生する身体の運動センサーと、電流に対する個人の皮膚抵抗を示すデータを発生する皮膚コンダクタンスセンサーと、熱流を示すデータを発生する熱束センサーと、個人の心拍を示すデータを発生する身体の電位センサーと、個人の皮膚温度を示すデータを発生する温度センサーとより成る群から選択され、少なくとも第１のパラメータ及び第２のパラメータを示すデータは身体の運動を示すデータ、電流に対する個人の皮膚抵抗を示すデータ、熱流を示すデータ、心拍を示すデータ及び個人の皮膚温度を示すデータのうちの少なくとも２つより成る請求項３４の装置。
【請求項３６】
少なくとも２つのセンサーのうちの少なくとも１つはコンテキストセンサーである請求項２３の装置。
【請求項３７】
コンテキストセンサーは周囲温度センサー及び地球規模位置測定センサーより成る群から選択される請求項３６の装置。
【請求項３８】
Ｉ／Ｏ装置は、１またはそれ以上の目標を達成するための１またはそれ以上の提案を表示装置が表示するように構成されている請求項２３の装置。
【請求項３９】
個人のカロリー情報を追跡する装置であって、
各々が個人が摂取する食事の量及びカロリー密度のうちの少なくとも一方のユーザーの予測値に対応する選択可能な食事分類識別子と、
選択可能な食事分類識別子を表示する表示手段と、
ユーザーが選択可能な食事分類識別子のうちの１つを選択する手段と、
ユーザーが選択する選択可能な食事分類識別子に対応する食事のカロリー量を予測するプロセッサとより成るカロリー情報追跡装置。
【請求項４０】
予測カロリー量は一般大衆に合致するように設計された量である請求項３９の装置。
【請求項４１】
予測カロリー量は個人に特別に調整されている請求項３９の装置。
【請求項４２】
個人が摂取する食事の量に対応する選択可能な食事分類識別子は、Ｓ、Ｍ、Ｌ、ＸＬである請求項３９の装置。
【請求項４３】
分類識別子はそれぞれ食事の予測量及び食事に関連する予測カロリー密度のうちの一方に基づくポイント値を有する請求項３９の装置。
【請求項４４】
選択可能な食事分類識別子はグリッドを形成する複数のポイント値を構成し、各ポイント値は食事の予測量と、カロリー密度とに基づく請求項３９の装置。
【請求項４５】
個人の身体に着用されるセンサー装置をさらに有し、センサー装置は個人のカロリー消費量に関するデータを発生し、センサー装置はプロセッサと電子通信関係にあり、プロセッサはセンサー装置からカロリー消費量データを受け、カロリー消費量データ及びカロリー摂取量データに基づき第１の情報を発生し、第１の情報は表示手段に表示される請求項３９の装置。
【請求項４６】
第１の情報はエネルギーバランスデータを含む請求項４５の装置。
【請求項４７】
第１の情報は個人の体重減少または増加率を含む請求項４５の装置。
【請求項４８】
第１の情報は個人の１またはそれ以上の目標に関する情報を含み、それらの目標はカロリー摂取量、カロリー消費量、エネルギーバランス、体重減少または増加率のうちの１またはそれ以上に関する請求項４５の装置。
【請求項４９】
センサー装置は、少なくとも１つが生理学的センサーである少なくとも２つのセンサーと電子通信関係にある第２のプロセッサを有し、センサーは個人の少なくとも第１のパラメータ及び第２のパラメータを示すデータを発生し、第１のパラメータは生理学的パラメータであり、第２のプロセッサは第１のパラメータ及び第２のパラメータを示すデータを用いてカロリー消費量データを発生するようにプログラムされている請求項４５の装置。
【請求項５０】
少なくとも２つのセンサーはセンサー装置内に収容されている請求項４９の装置。
【請求項５１】
センサーのうちの少なくとも１つはセンサー装置から離れた所にある請求項４９の装置。
【請求項５２】
表示手段、選択手段及びプロセッサはセンサー装置から離れた所にあるＩ／Ｏ装置の一部であり、離れた所にあるセンサーはＩ／Ｏ装置の一部である請求項５１の装置。
【請求項５３】
Ｉ／Ｏ装置は体重計である請求項５２の装置。
【請求項５４】
離れた所にあるセンサーは体重計の一部である請求項５１の装置。
【請求項５５】
２つのセンサーのうち少なくとも２つは生理学的センサーであり、第２のパラメータは生理学的パラメータである請求項４９の装置。
【請求項５６】
少なくとも２つのセンサーは身体の運動を示すデータを発生する身体の運動センサーと、電流に対する個人の皮膚抵抗を示すデータを発生する皮膚コンダクタンスセンサーと、熱流を示すデータを発生する熱束センサーと、個人の心拍を示すデータを発生する身体の電位センサーと、個人の皮膚温度を示すデータを発生する温度センサーとより成る群から選択され、少なくとも第１のパラメータ及び第２のパラメータを示すデータは身体の運動を示すデータ、電流に対する個人の皮膚抵抗を示すデータ、熱流を示すデータ、心拍を示すデータ及び個人の皮膚温度を示すデータのうちの少なくとも２つより成る請求項５５の装置。
【請求項５７】
少なくとも２つのセンサーのうちの少なくとも１つはコンテキストセンサーである請求項４９の装置。
【請求項５８】
コンテキストセンサーは周囲温度センサー及び地球規模位置測定センサーより成る群から選択される請求項５７の装置。
【請求項５９】
個人が摂取する各食事の１またはそれ以上の食物を入力し、第２のカロリー量を食物項目に基づき食事に関連付けるソフトウェアを有するコンピュータ装置を備え、プロセッサは所定の期間にわたり個人が摂取する各食事についての第２のカロリー量を受け、プロセッサは第２のカロリー量に基づき分類識別子の各々について対応するカロリー量を調整する請求項３９の装置。
【請求項６０】
ソフトウェアは食物及び第２のカロリー量を含む食物データのデータベースを有する請求項５９の装置。
【請求項６１】
ポータブルで時計状の装置である請求項３９の装置。
【請求項６２】
カロリー摂取量データ及びカロリー消費量データに基づき１またはそれ以上の目標を達成するための１またはそれ以上の提案を表示手段に表示させるように構成されている請求項４８の装置。
【請求項６３】
対応するカロリー量はアルゴリズムに基づき選択可能な食事分類識別子のそれぞれについて決定される請求項３９の装置。
【請求項６４】
アルゴリズムは探索表を有する請求項６３の装置。
【請求項６５】
個人のカロリー情報を追跡する方法であって、
各々が対応するカロリー量を有する、個人が摂取する食事を分類するための複数の分類識別子を用意し、
個人が摂取する食事毎に分類識別子のうちの選択された１つを受け、
選択された分類識別子に対応するカロリー量に基づき個人が摂取する各食事について個人のカロリー摂取量データを記録するステップより成るカロリー情報追跡方法。
【請求項６６】
対応するカロリー量は一般大衆に合致するように設計された一般的な量である請求項６５の方法。
【請求項６７】
センサー装置の少なくとも２つ、プロセッサ及びＩ／Ｏ装置は単一のユニットに収納される請求項１の装置。
【請求項６８】
センサー装置は個人の上腕に着用される請求項１の装置。
【請求項６９】
単一のユニットは個人の上腕に着用される請求項６７の装置。
【請求項７０】
対応のカロリー量は非線形関数に基づき選択可能な食事分類識別子のそれぞれについて決定される請求項３９の装置。
【請求項７１】
対応のカロリー量は線形関数に基づき選択可能な食事分類識別子のそれぞれについて決定される請求項３９の装置。